(57)【特許請求の範囲】
【請求項１】
第１の面および前記第１の面の反対にある第２の面を備える基板材と、
前記第１の面に配置されており、各々が他の電気部品に接続される端子を有する一対の電源配線と、
前記第１の面に配置されており、各々が他の電気部品に接続される端子を有する少なくとも一対の差動配線と、
前記基板材の一端部において、前記一対の電源配線の前記一対の端子の両方を囲み、前記一対の差動配線の前記一対の端子の両方を囲むように、前記第１の面に配置された第１のグランドパターンと、
前記第１の面にある前記電源配線および前記差動配線に重なるように前記第２の面に配置された第２のグランドパターンと、
前記第１のグランドパターンと前記第２のグランドパターンを電気的に接続する複数のスルーホールと
を備え、
前記第１のグランドパターンは、前記電源配線および前記差動配線と並んで延びる並列部分と、前記並列部分に連結され前記電源配線および前記差動配線よりも外側の外側部分とを備え、
前記並列部分と前記外側部分は、前記一対の電源配線の前記一対の端子の両方を３方向から囲むとともに、前記一対の差動配線の前記一対の端子の両方を３方向から囲み、
前記複数のスルーホールは、前記電源配線の前記端子および前記差動配線の前記端子よりも外側において、前記第１のグランドパターンの前記外側部分と前記第２のグランドパターンを電気的に接続する
ことを特徴とする電気光学装置用フレキシブル基板。
【請求項２】
請求項１に記載の電気光学装置用フレキシブル基板と、
前記電源配線で供給される電力により駆動されるとともに前記差動配線で供給される信号により制御される電気光学パネルと、
を備える電気光学装置。
【発明の詳細な説明】
【技術分野】
【０００１】
本発明は、電気光学装置用フレキシブル基板およびこれを備える電気光学装置に関する。
【背景技術】
【０００２】
従来から、液晶表示パネルまたは有機ＥＬ（Electro- Luminescence）表示パネルのような電気光学パネルを電源回路および制御回路に接続するためにフレキシブル基板が用いられてきた。このような用途のフレキシブル基板では、配線を流れる信号に電磁的な干渉によるノイズが生ずることをできるだけ抑えることが望ましい。特に、周波数が高い信号をフレキシブル基板で伝送する場合には、このようなノイズの抑制は重要である。このため、フレキシブル基板において、配線の近傍に電磁遮蔽のためのグランド配線が設けられる。例えば、特許文献１には、テープキャリアパッケージの電気的接続手段に設けられた配線のうち両端に位置する２本の配線を接地電位用の配線とすることが開示されている。
【先行技術文献】
【特許文献】
【０００３】
【特許文献１】特開平１０−１０５６５号公報
【発明の概要】
【発明が解決しようとする課題】
【０００４】
しかしながら、特許文献１に記載の技術では、両端にある２本の配線だけが接地電位用の配線として使用されるので、多くの配線が設けられる場合に、これらの配線に対する電磁遮蔽の効果があまり期待できない。また、配線と他の電気部品（電源回路または制御回路）が接続される箇所およびその付近では、これらの電気部品により生ずる電磁波から配線を遮蔽すべきであるが、特許文献１に記載の技術では、そのような箇所およびその付近での電磁遮蔽の効果が高くはない。
【０００５】
本発明は、上記課題に鑑みてなされたものであり、配線に対する電磁遮蔽の効果を高めることを解決課題とする。
【課題を解決するための手段】
【０００６】
上記課題を解決するために、本発明は、第１の面および前記第１の面の反対にある第２の面を備える基板材と、前記第１の面に配置されており、各々が他の電気部品に接続される端子を有する一対の電源配線と、前記第１の面に配置されており、各々が他の電気部品に接続される端子を有する少なくとも一対の差動配線と、前記基板材の一端部において、前記一対の電源配線の前記一対の端子の両方を囲み、前記一対の差動配線の前記一対の端子の両方を囲むように、前記第１の面に配置された第１のグランドパターンと、前記第１の面にある前記電源配線および前記差動配線に重なるように前記第２の面に配置された第２のグランドパターンと、前記第１のグランドパターンと前記第２のグランドパターンを電気的に接続する複数のスルーホールとを備え、前記第１のグランドパターンは、前記電源配線および前記差動配線と並んで延びる並列部分と、前記並列部分に連結され前記電源配線および前記差動配線よりも外側の外側部分とを備え、前記並列部分と前記外側部分は、前記一対の電源配線の前記一対の端子の両方を３方向から囲むとともに、前記一対の差動配線の前記一対の端子の両方を３方向から囲み、前記複数のスルーホールは、前記電源配線の前記端子および前記差動配線の前記端子よりも外側において、前記第１のグランドパターンの前記外側部分と前記第２のグランドパターンを電気的に接続することを特徴とする電気光学装置用フレキシブル基板を提供する。
【０００７】
この電気光学装置用フレキシブル基板においては、基板材の一端部において、第１のグランドパターンが一対の電源配線の一対の端子の両方を囲み、一対の差動配線の一対の端子の両方を囲む。さらに、基板材の第１の面にある電源配線および差動配線に重なるように、基板材の第２の面には第２のグランドパターンが配置されている。こうして、一対の電源配線は、第１のグランドパターンで囲まれ、さらに第２のグランドパターンに重なっており、一対の差動配線も、第１のグランドパターンで囲まれ、さらに第２のグランドパターンに重なる。したがって、電源配線および差動配線に対する電磁遮蔽の効果が高く、電源電圧の安定性を高め、差動配線を流れる高速信号へのノイズ抑制効果を高めることができる。特に、他の電気部品に接続される端子を第１のグランドパターンが囲むので、端子およびその付近での電磁遮蔽の効果を高めることができる。
【０００８】
上記の電気光学装置用フレキシブル基板において、前記第１のグランドパターンは、前記電源配線および前記差動配線と並んで延びる並列部分と、前記並列部分に連結され前記電源配線および前記差動配線よりも外側の外側部分とを備え、前記並列部分と前記外側部分は、前記一対の電源配線の前記一対の端子の両方を３方向から囲み、前記一対の差動配線の前記一対の端子の両方を３方向から囲む。このように第１のグランドパターンが端子を３方向から囲むことにより、端子およびその付近での電磁遮蔽の効果を高めることができる。特に、第１のグランドパターンは電源配線および差動配線よりも外側の外側部分を有するため、フレキシブル基板の外から作用する電磁波を、第１のグランドパターンが遮蔽する効果が高いので、電源電圧の安定性を高め、差動配線を流れる高速信号へのノイズ抑制効果を高めることができる。    
【０００９】
上記の電気光学装置用フレキシブル基板において、複数のスルーホールは、前記電源配線の前記端子および前記差動配線の前記端子よりも外側において、前記第１のグランドパターンの前記外側部分と前記第２のグランドパターンを電気的に接続する。この電気光学装置用フレキシブル基板では、基板材の第１面にある第１のグランドパターンと第２面にある第２のグランドパターンが複数のスルーホールで電気的に接続され、しかもこれらのスルーホールが電源配線の端子および差動配線の端子よりも外側にあることにより、第１のグランドパターンの端部（すなわち外側部分）および第２のグランドパターンの端部のインピーダンスを低く抑えることができる。したがって、電気光学装置用フレキシブル基板の外から作用する電磁波を、第１のグランドパターンおよび第２のグランドパターンの端部が遮蔽する効果が高いので、電源配線および差動配線を流れる信号へのノイズ抑制効果も高い。
【００１０】
本発明に係る電気光学装置は、上述した電気光学装置用フレキシブル基板と、前記電源配線で供給される電力により駆動されるとともに前記差動配線で供給される信号により制御される電気光学パネルとを備える。電気光学パネルとしては、液晶表示パネル、有機ＥＬ表示パネルまたはその他の画像表示パネルがあり、さらには、電子写真方式のプリンターの感光体ドラムに静電潜像を書き込むために光を照射する液晶方式、有機ＥＬ方式またはその他の発光方式の露光ヘッドがある。
【図面の簡単な説明】
【００１１】
【図１】実施形態に係る電気光学装置の概略平面図である。
【図２】電気光学装置用フレキシブル基板の端部の詳細を示す平面図である。
【図３】図２のIII-III線矢視断面図である。
【図４】電気光学装置が利用された電子機器の例を示す斜視図である。
【図５】電気光学装置が利用された電子機器の他の例を示す斜視図である。
【発明を実施するための形態】
【００１２】
図１は、本発明の実施形態に係る電気光学装置１の概略平面図である。電気光学装置１は、電気光学パネルの一例である液晶表示パネル２と、液晶表示パネル２に電気的に接続された電気光学装置用フレキシブル基板１０とを備える。この電気光学装置１は、図示しない筐体に組み込まれる部品すなわちモジュールであるが、筐体およびその他の部品を備えた完成品の電気光学装置も本発明の範囲にある。
【００１３】
図１に示すように、フレキシブル基板１０の一方の面には、液晶表示パネル２を駆動するための例えばデータ線駆動回路などを有するＩＣチップ１２が実装されている。フレキシブル基板１０の図の上側の端部は液晶表示パネル２に取り付けられており、ＩＣチップ１２は液晶表示パネル２に電気的に接続されているが、ＩＣチップ１２と液晶表示パネル２を電気的に接続する配線の図示は省略する。
【００１４】
また、フレキシブル基板１０の一方の面には、一対の電源配線１４ａ，１４ｂ、一対の差動配線１５ａ，１５ｂ、他の一対の差動配線１６ａ，１６ｂ、一対の制御配線１７ａ，１７ｂが配置されている。電源配線１４ａ，１４ｂは、ＩＣチップ１２および液晶表示パネル２にこれらを駆動するための電源電圧を供給する。差動配線１５ａ，１５ｂ，１６ａ，１６ｂは、例えばLVDS（Low Voltage Differential Signaling）に準拠した高速信号伝送用の配線であって、液晶表示パネル２はこれらの配線で供給される信号により制御される。図１では、二対の差動配線１５ａ，１５ｂおよび差動配線１６ａ，１６ｂが示されているが、差動配線の対の数は図１に限定されず、いくつでもよい。制御配線１７ａ，１７ｂは、差動配線１５ａ，１５ｂ，１６ａ，１６ｂとは異なる目的の制御信号をＩＣチップ１２に供給し、液晶表示パネル２はこれらの配線で供給される信号により制御される。制御配線１７ａ，１７ｂは差動線でもよいしそうでなくてもよい。
【００１５】
図１において、フレキシブル基板１０の一方の面の領域１８には、電源電圧を安定化する等の目的のために、電源配線１４ａ，１４ｂに接続されるＬＣ回路を配置することができる。電源配線１４ａ，１４ｂをフレキシブル基板１０において図の左側に設ける場合には、そのようなＬＣ回路を領域１９に配置してもよい。このように、フレキシブル基板１０において、配線が設けられない領域には、回路を配置することができる。
【００１６】
フレキシブル基板１０の液晶表示パネル２とは反対側の端部には、第１のグランドパターン２１が配置されている。第１のグランドパターン２１は、導電材料から形成されており、配線１４ａ，１４ｂ，１５ａ，１５ｂ，１６ａ，１６ｂ，１７ａ，１７ｂと並んで延びる並列部分２１ａと、これらの並列部分に連結され、配線１４ａ，１４ｂ，１５ａ，１５ｂ，１６ａ，１６ｂ，１７ａ，１７ｂよりも外側にある外側部分２１ｂとを備える。対になっている電源配線１４ａ，１４ｂの端部は、隣合う二つの並列部分２１ａの間に配置されている。対になっている差動配線１５ａ，１５ｂの端部は、隣合う二つの並列部分２１ａの間に配置されている。対になっている差動配線１６ａ，１６ｂの端部は、隣合う二つの並列部分２１ａの間に配置されている。対になっている制御配線１７ａ，１７ｂの端部は、隣合う二つの並列部分２１ａの間に配置されている。
【００１７】
図２はフレキシブル基板１０の端部の詳細を示す平面図であり、図３は図２のIII-III線矢視断面図である。図３に示すように、フレキシブル基板１０は、平坦な薄い樹脂製の基板材２０を有する。配線１４ａ，１４ｂ，１５ａ，１５ｂ，１６ａ，１６ｂ，１７ａ，１７ｂおよび第１のグランドパターン２１は、基板材２０の上面すなわち第１の面に配置されている。これらの配線１４ａ，１４ｂ，１５ａ，１５ｂ，１６ａ，１６ｂ，１７ａ，１７ｂおよび第１のグランドパターン２１は、非導電材料から形成された保護層すなわちレジスト層２５で覆われている。
【００１８】
基板材２０の下面すなわち第２の面には、第２のグランドパターン２２が配置されている。第２のグランドパターン２２は基板材２０の下面全体を覆っており、液晶表示パネル２にグランド電位を供給する。第２のグランドパターン２２は基板材２０の下面全体を覆うため、基板材２０の上面にある配線１４ａ，１４ｂ，１５ａ，１５ｂ，１６ａ，１６ｂ，１７ａ，１７ｂに重なっている。第２のグランドパターン２２は、非導電材料から形成された保護層すなわちレジスト層２６で覆われている。
【００１９】
図２に示すように、配線１４ａ，１４ｂ，１５ａ，１５ｂ，１６ａ，１６ｂ，１７ａ，１７ｂの各々の端部には、他の電気部品に接続される端子Ｔが設けられている。より正確には、レジスト層２５において端子Ｔに相当する部分が開口させられており、それらの開口を通じて端子Ｔを、他の電気部品、例えば電源装置等に電気的に接続することができる。
【００２０】
第１のグランドパターン２１の外側部分２１ｂには、グランド電位を供給するコネクタと接続される接点Ｃが設けられている。より正確には、レジスト層２６において接点Ｃに相当する部分が開口させられており、それらの開口を通じて接点Ｃをコネクタに電気的に接続することができる。
【００２１】
フレキシブル基板１０には、多数のスルーホール２３が設けられており、スルーホール２３内には導電材料が配置されていて、表側の第１のグランドパターン２１と裏側の第２のグランドパターン２２とが電気的に接続されている。これらのスルーホール２３のいくつかは、第１のグランドパターン２１の並列部分２１ａに配置されており、他のいくつかは、第１のグランドパターン２１の外側部分２１ｂすなわち配線１４ａ，１４ｂ，１５ａ，１５ｂ，１６ａ，１６ｂ，１７ａ，１７ｂよりも外側の部分に配置されている。したがって、接点Ｃを通じて第１のグランドパターン２１に与えられるグランド電位は、スルーホール２３を通じて第２のグランドパターン２２に与えられ、結果的に液晶表示パネル２に与えられる。
【００２２】
このフレキシブル基板１０においては、一対の電源配線１４ａ，１４ｂの一対の端子Ｔの両方が、第１のグランドパターン２１の隣合う二つの並列部分２１ａおよび外側部分２１ｂで３方向から囲まれている。また、一対の差動配線１５ａ，１５ｂの一対の端子Ｔの両方が、第１のグランドパターン２１の隣合う二つの並列部分２１ａおよび外側部分２１ｂで３方向から囲まれている。同様に、一対の差動配線１６ａ，１６ｂの一対の端子Ｔの両方が、第１のグランドパターン２１の隣合う二つの並列部分２１ａおよび外側部分２１ｂで３方向から囲まれている。さらに、一対の制御配線１７ａ，１７ｂの一対の端子Ｔの両方が、第１のグランドパターン２１の隣合う二つの並列部分２１ａおよび外側部分２１ｂで３方向から囲まれている。
【００２３】
さらに、基板材２０の上面にある配線１４ａ，１４ｂ，１５ａ，１５ｂ，１６ａ，１６ｂ，１７ａ，１７ｂに重なるように、基板材２０の下面には第２のグランドパターン２２が配置されている。こうして、一対の電源配線１４ａ，１４ｂは、第１のグランドパターン２１で３方向から囲まれ、さらに第２のグランドパターン２２に重なる。一対の差動配線１５ａ，１５ｂも、第１のグランドパターン２１で３方向から囲まれ、さらに第２のグランドパターン２２に重なる。同様のことが、差動配線１６ａ，１６ｂおよび制御配線１７ａ，１７ｂにもいえる。したがって、電源配線１４ａ，１４ｂ、差動配線１５ａ，１５ｂ，１６ａ，１６ｂ、および制御配線１７ａ，１７ｂに対する電磁遮蔽の効果が高い。特に、他の電気部品に接続される端子Ｔを第１のグランドパターン２１が囲むので、端子Ｔおよびその付近での電磁遮蔽の効果を高めることができる。さらに、第１のグランドパターン２１は配線１４ａ，１４ｂ，１５ａ，１５ｂ，１６ａ，１６ｂ，１７ａ，１７ｂよりも外側の外側部分２１ｂを有するため、フレキシブル基板１０の外から作用する電磁波を、第１のグランドパターン２１が遮蔽する効果が高いので、電源電圧の安定性を高め、配線１５ａ，１５ｂ，１６ａ，１６ｂ，１７ａ，１７ｂを流れる信号へのノイズ抑制効果も高い。
【００２４】
このフレキシブル基板１０では、基板材２０の上面にある第１のグランドパターン２１と下面にある第２のグランドパターン２２が複数のスルーホール２３で電気的に接続され、しかもこれらのスルーホール２３のいくつかが配線１４ａ，１４ｂ，１５ａ，１５ｂ，１６ａ，１６ｂ，１７ａ，１７ｂの端子Ｔよりも外側にあることにより、第１のグランドパターン２１の端部（すなわち外側部分２１ｂ）および第２のグランドパターン２２の端部のインピーダンスを低く抑えることができる。したがって、フレキシブル基板１０の外から作用する電磁波を、第１のグランドパターン２１および第２のグランドパターン２２の端部が遮蔽する効果が高いので、電源電圧の安定性を高め、配線を流れる高速信号へのノイズ抑制効果を高めることができる。
【００２５】
本発明に係る電気光学装置は、上述したフレキシブル基板１０と、電源配線１４ａ，１４ｂで供給される電力により駆動されるとともに差動配線１５ａ，１５ｂ，１６ａ，１６ｂで供給される信号により制御される電気光学パネルとを備える。電気光学パネルとしては、液晶表示パネル２のほか、有機ＥＬ表示パネルまたはその他の画像表示パネルがあり、さらには、電子写真方式のプリンターの感光体ドラムに静電潜像を書き込むために光を照射する液晶方式、有機ＥＬ方式またはその他の発光方式の露光ヘッドがある。
【００２６】
次に、本発明に係る電気光学装置１を利用した電子機器について説明する。図４は、以上に説明した実施形態に係る電気光学装置１を表示装置として採用したラップトップ型のパーソナルコンピューターの構成を示す斜視図である。パーソナルコンピューター２０００は、表示装置としての発光装置１と本体部２０１０とを備える。本体部２０１０には、電源スイッチ２００１およびキーボード２００２が設けられている。
【００２７】
図５に、以上に説明した実施形態に係る電気光学装置１を表示装置として採用した携帯電話機の構成を示す。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００２８】
なお、本発明に係る電気光学装置１が適用される電子機器としては、図４および図５に示したもののほか、デジタルスチルカメラ、テレビ、ビデオカメラ、カーナビゲーション装置、ページャ、電子手帳、電子ペーパー、電卓、ワードプロセッサー、ワークステーション、テレビ電話、ＰＯＳ端末、タブレット型コンピューター、プリンター、スキャナー、複写機、ビデオプレーヤー、タッチパネルを備えた表示機器等が挙げられる。
【符号の説明】
【００２９】
１…電気光学装置、２…液晶表示パネル、１０…電気光学装置用フレキシブル基板、１２…ＩＣチップ、１４ａ，１４ｂ…電源配線、１５ａ，１５ｂ…差動配線、１６ａ，１６ｂ…差動配線、１７ａ，１７ｂ…制御配線、１８…領域、１９…領域、２０…基板材、２１…第１のグランドパターン、２１ａ…並列部分、２１ｂ…外側部分、２２…第２のグランドパターン、２３…スルーホール、２５…レジスト層、２６…レジスト層、２０００…パーソナルコンピューター、２００１…電源スイッチ、２００２…キーボード、２０１０…本体部、３０００…携帯電話機、３００１…操作ボタン、３００２…スクロールボタン、Ｔ…端子、Ｃ…接点。
【図１】
0005678726.tif 000002
【図２】
0005678726.tif 000003
【図３】
0005678726.tif 000004
【図４】
0005678726.tif 000005
【図５】
0005678726.tif 000006